Podtech/llm-jp-corpus-v4-ja_patent huggingface dataset:
【手続補正書】
【提出日】平成25年12月4日(2013.12.4)
【手続補正１】
【補正対象書類名】特許請求の範囲
【補正対象項目名】全文
【補正方法】変更
【補正の内容】
【特許請求の範囲】
【請求項１】
Ｘ線放射線源（２６、２８）と、
該Ｘ線放射線源を制御し、また無線インタフェイス（１００）を介して通信するように構成されている制御回路（５２、５４）と、
該制御回路（５２、５４）に接続されて動作し、該制御回路（５２、５４）により発生される特有の対形成符号に対応するパルス系列を発生することが可能な電源（８４）と、
該電源（８４）に電気的に接続されており、複数のハンドヘルド・インタフェイス機器（２０、２２、２４）の任意の一つを充電するように構成された電荷パルス系列を含むパルス系列として前記パルス系列を送達するように構成された充電回路（１２０、１２２）と
を備えたＸ線システム（１０、７０）であって、
前記制御回路（５２、５４）は、前記特有の対形成符号に対応する前記パルス系列を、前記充電回路（１２０、１２２）に結合されている前記複数のハンドヘルド・インタフェイス機器（２０、２２、２４）の一つに送達することを当該充電回路（１２０、１２２）に行なわせ、前記送達された符号に対応する無線信号を前記結合されたハンドヘルド・インタフェイス機器（２０、２２）から受け取って、前記結合されたハンドヘルド・インタフェイス機器（２０、２２）を当該制御回路（５２、５４）と対にするように構成されている、Ｘ線システム（１０、７０）。
【請求項２】
前記結合されたハンドヘルド・インタフェイス機器（２０、２２）を前記制御回路（５２、５４）と対にすることにより、利用者が前記対になったハンドヘルド・インタフェイス機器（２０、２２）を介して前記Ｘ線源（２６、２８）を制御することを可能にする、請求項１に記載のシステム（１０、７０）。
【請求項３】
前記結合されたハンドヘルド・インタフェイス機器（２０、２２）を前記制御回路（５２、５４）と対にすることにより、利用者が前記Ｘ線システム（１０、７０）の動作パラメータを前記対になったハンドヘルド・インタフェイス機器（２０、２２）において目視することを可能にする、請求項１または２に記載のシステム（１０、７０）。
【請求項４】
前記電源（８４）に電気的に接続されており、複数の無線Ｘ線検出器（３０）の任意の一つに前記パルス系列を送達することが可能な検出器充電クレードル（３６、３８）をさらに含んでおり、前記制御回路（５２、５４）は、前記生成された対形成符号を前記１又は複数の無線Ｘ線検出器（３０）から無線で受け取って、前記複数の無線Ｘ線検出器（３０）の一つを当該制御回路（５２、５４）と対にするように構成されている、請求項１乃至３のいずれかに記載のシステム（１０、７０）。
【請求項５】
前記結合された無線Ｘ線検出器（３０）を前記制御回路（５２）と対にすることにより、前記対になった無線Ｘ線検出器（３０）から遠隔記憶システム（１０４、１０６、１０８）への画像データの無線送信を可能にする、請求項４に記載のシステム（１０、７０）。
【請求項６】
前記結合された無線Ｘ線検出器（３０）を前記制御回路（５２、５４）と対にすることにより、前記対になった無線Ｘ線検出器（３０）から前記制御回路（５２、５４）への画像データの無線送信を可能にする、請求項４に記載のシステム（１０、７０）。
【請求項７】
前記充電回路（１２０、１２２）から電荷を受け取ることが可能な１又は複数のハンドヘルド・インタフェイス機器（２０、２２、２４）を含んでいる請求項１乃至６のいずれかに記載のシステム（１０、７０）。
【請求項８】
前記１又は複数のハンドヘルド・インタフェイス機器（２０、２２、２４）は、前記充電回路（１２０、１２２）から電荷を受けると前記制御回路（５２、５４）による前記対形成符号の発生を開始させるように構成されており、前記１又は複数のハンドヘルド・インタフェイス機器（２０、２２、２４）は、対形成招致信号を無線で送ることにより前記制御回路（５２、５４）による前記対形成符号の発生を開始させる、請求項７に記載のシステム（１０、７０）。
【請求項９】
無線通信を行なうことが可能な第一の医療機器（１６、１８、５２、５４、５６）と、
該第一の医療機器（１６、１８、５２、５４、５６）と無線通信を行なうことが可能な第二の医療機器（２０、２２、２４、３０）と
を備えたシステム（１０、７０）であって、
前記第一の医療機器（１６、１８、５２、５４、５６）及び前記第二の医療機器（２０、２２、２４、３０）は、電荷に基づくパルス系列を介して動的に対にされるように構成されており、
前記第二の医療機器（２０、２２、２４、３０）は、前記第一の医療機器（１６、１８、５２、５４、５６）で生成され、前記第二の医療機器（２０、２２、２４、３０）に送達された特有の対形成符号に対応するパルス系列により充電回路（１２０、１２２）を介して充電される、システム（１０、７０）。
【請求項１０】
前記第一の医療機器（１６、１８、５２、５４、５６）及び第二の医療機器（２０、２２、２４、３０）は、電荷に基づくパルス系列を介して動的対形成を実行するように構成されており、前記第二の医療機器（２０、２２、２４、３０）は、対形成の後に前記第一の医療機器（１６、１８、５２、５４、５６）との間でデータを授受するように構成されている、請求項９に記載のシステム（１０、７０）。
【手続補正書】
【提出日】平成26年3月10日(2014.3.10)
【手続補正１】
【補正対象書類名】特許請求の範囲
【補正対象項目名】全文
【補正方法】変更
【補正の内容】
【特許請求の範囲】
【請求項１】
薬剤媒体の経口投与のための吸入器（１０）であって、
−  マウスピース（１６）を持つハウジング（２０）、
−  前記ハウジング（２０）の吸入領域（１２）内に収容され、かつ媒体容器（６２）、及び出口オリフィス（６４ａ）を持つ出口連結器（６４）を含む容器ユニット（６０）であって、前記出口連結器が、排出操作を起動する目的のために前記媒体容器（６２）に対して動かされることができるもの、及び
−  排出操作の検出のための排出センサ（７８）、
を含み、
−  前記ハウジング（２０）が、主要部（３２）、及び前記主要部（３２）に対して動かされることができる検出壁部（３４）を持ち、この検出壁部（３４）が排出操作時に前記主要部（３２）に対して変位されるような態様で構成されかつ／または配置され、
−  前記排出センサ（７８）が、前記ハウジング（２０）の前記主要部（３２）に対して検出壁部（３４）の変位を検出するのに適合している、
ことを特徴とする吸入器。
【請求項２】
前記検出壁部（３４）が前記ハウジング（２０）の前記主要部（３２）に一体的に連結され、前記主要部（３２）と前記検出壁部（３４）の間の連結領域（３６）が変形可能であることを特徴とする請求項１に記載の吸入器。
【請求項３】
前記連結領域（３６）が、その周囲周りで前記検出壁部（３４）を取り囲み、この手段により前記検出壁部（３４）を前記ハウジング（２０）の前記主要部（３２）に液密態様で連結することを特徴とする請求項２に記載の吸入器。
【請求項４】
前記排出センサ（７８）が、前記吸入領域（１２）から遠い前記検出壁部（３４）の側に設けられることを特徴とする請求項１に記載の吸入器。
【請求項５】
前記検出壁部（３４）と、前記媒体容器または前記出口連結器（６４）が、互いに対して不動であることを特徴とする請求項１に記載の吸入器。
【請求項６】
前記検出壁部（３４）が、前記出口連結器（６４）のための収容凹所（３４ｂ）、及び好ましくは通路（３４ｃ）を介して前記収容凹所（３４ｂ）に連結された排出ノズル（３４ｄ）を持つことを特徴とする請求項１に記載の吸入器。
【請求項７】
前記排出センサ（７８）、前記検出壁部（３４）、及び前記容器ユニット（６０）が、前記ハウジング（２０）の前記主要部（３２）に対して前記容器ユニット（６０）の変位があるとき、前記検出壁部（３４）が排出操作が始まるとすぐに、または始まる前に前記排出センサ（７８）を作動するように互いに適合されかつ配置されていることを特徴とする請求項１に記載の吸入器。
【請求項８】
前記ハウジング（２０）が、結合装置（１８）により一緒に結合されることができる二つの副ハウジング（３０，４０）を持ち、
−  第一副ハウジング（３０）が前記吸入領域（１２）を取り囲みかつ前記検出壁部（３４）を含み、
−  第二副ハウジング（４０）が前記排出センサ（７８）を含む、
ことを特徴とする請求項１に記載の吸入器。
【請求項９】
前記第二副ハウジングが、変形可能または移動可能壁部により前記排出センサの領域内で境界付けられる内部領域を持つことを特徴とする請求項８に記載の吸入器。
【手続補正書】
【提出日】平成26年5月7日(2014.5.7)
【手続補正１】
【補正対象書類名】特許請求の範囲
【補正対象項目名】全文
【補正方法】変更
【補正の内容】
【特許請求の範囲】
【請求項１】
位置追跡方法であって、
医療用プローブの遠位端にある主位置変換器からの信号を、該信号を処理して前記遠位端の第１の位置を見出すプロセッサに接続するための、前記プローブの近位端にあるコネクタに前記プローブを通して達する配線を介して、受信することと、
前記コネクタにおいて前記信号に生じる干渉に関する較正データを前記近位端の位置の関数として収集することと、
前記プローブの前記近位端にある補助位置変換器の位置を測定することと、
測定された前記補助位置変換器の位置及び前記較正データに応じて前記信号内の前記干渉を相殺することと、
前記干渉を相殺した後に、前記信号に基づいて前記遠位端の前記第１の位置を算出することと、を含む、方法。
【請求項２】
前記医療用プローブがカテーテルを備える、請求項１に記載の方法。
【請求項３】
前記信号が、前記プローブの近傍に印加され、前記主位置変換器によって検知される１つ又は２つ以上の磁界に応じて、前記主位置変換器により生成される、請求項１に記載の方法。
【請求項４】
前記補助位置変換器が、前記コネクタに隣接して取り付けられる、請求項１に記載の方法。
【請求項５】
前記補助位置変換器及び前記コネクタが、前記プローブのハンドルに結合される、請求項４に記載の方法。
【請求項６】
前記較正データを収集することが、前記近位端を干渉源との関連で複数の位置に配置することと、前記補助位置変換器から前記近位端の各位置を示す補助位置信号を収集することと、該補助位置信号の関数として前記干渉を測定することと、を含む、請求項４に記載の方法。
【請求項７】
前記補助位置変換器の位置を測定することが、前記近位端の近傍に１つ又は２つ以上の磁界を印加することと、該磁界に応じて前記補助位置変換器によって生成される信号を前記補助位置変換器から受信することと、該受信信号に基づいて前記補助位置変換器の位置を算出することと、を含む、請求項１に記載の方法。
【請求項８】
算出した前記遠位端の前記第１の位置を操作者に提示することを含む、請求項１に記載の方法。
【請求項９】
装置であって、
主位置変換器を備える遠位端、補助位置変換器を備える近位端、プロセッサに動作可能に接続される、前記近位端にあるコネクタ、及び医療用プローブを通して前記主位置変換器を前記コネクタに結合する配線、を含む、前記医療用プローブと、
前記主位置変換器から前記配線を介して前記遠位端の第１の位置を示す信号を受信し、前記コネクタにおいて前記信号に生じる干渉に関する較正データを前記近位端の位置の関数として収集し、前記補助位置変換器の位置を測定し、測定された前記補助位置変換器の位置及び前記較正データに応じて前記信号内の前記干渉を相殺し、かつ前記干渉を相殺した後に、前記信号に基づいて前記遠位端の前記第１の位置を算出するように構成される、前記プロセッサと、を含む、装置。
【請求項１０】
前記医療用プローブがカテーテルを備える、請求項９に記載の装置。
【請求項１１】
前記信号が、前記プローブの近傍に印加され、前記主位置変換器によって検知される１つ又は２つ以上の磁界に応じて、前記主位置変換器により生成される、請求項９に記載の装置。
【請求項１２】
前記補助位置変換器が、前記コネクタに隣接して取り付けられる、請求項９に記載の装置。
【請求項１３】
前記プローブがハンドルを備え、前記補助位置変換器及び前記コネクタが前記ハンドルに結合される、請求項１２に記載の装置。
【請求項１４】
前記プロセッサが、前記近位端が干渉源との関連で各位置に配置された状態で前記補助位置変換器から複数の補助位置信号を収集し、かつ前記補助位置信号の関数として前記干渉を測定することによって、前記較正データを収集するように構成される、請求項１２に記載の装置。
【請求項１５】
前記プロセッサが、前記近位端の近傍に印加された１つ又は２つ以上の磁界に応じて前記補助位置変換器によって生成される信号を前記補助位置変換器から受信し、該受信信号に基づいて前記補助位置変換器の位置を算出するように構成される、請求項９に記載の装置。
【請求項１６】
前記プロセッサが、算出された前記遠位端の前記第１の位置を操作者に提示するように構成される、請求項９に記載の装置。
【請求項１７】
主位置変換器を備える遠位端と、補助位置変換器を備える近位端と、前記遠位端を前記近位端に接続するコネクタと、医療用プローブを通して前記主位置変換器を前記コネクタに結合する配線と、を含む前記医療用プローブとともに作動する、コンピュータソフトウェア製品であって、該製品が、プログラム命令が内部に格納された非一過性のコンピュータ可読媒体を含み、前記命令が、コンピュータによって読み出されたときに、該コンピュータが、前記主位置変換器から前記配線を介して前記遠位端の第１の位置を示す信号を受信し、前記コネクタにおいて前記信号に生じる干渉に関する較正データを前記近位端の位置の関数として収集し、前記補助位置変換器の位置を測定し、測定された前記補助位置変換器の位置及び前記較正データに応じて前記信号内の前記干渉を相殺し、かつ前記干渉を相殺した後に、前記信号に基づいて前記遠位端の前記第１の位置を算出するようにさせる、製品。
【手続補正書】
【提出日】平成26年5月22日(2014.5.22)
【手続補正１】
【補正対象書類名】特許請求の範囲
【補正対象項目名】全文
【補正方法】変更
【補正の内容】
【特許請求の範囲】
【請求項１】
ワークステーション３４と、可搬型Ｘ線検出器１４とを備えるシステムであって、
該可搬型Ｘ線検出器１４が、
複数の検出器素子を含む検出器パネルと、
当該可搬型Ｘ線検出器１４の内部に設置されている３軸重力センサと、
プロセッサと
を備え、
前記プロセッサ２８は、
前記３軸重力センサを使用して決定された前記可搬型Ｘ線検出器１４の物理的配向に対応する配向情報を前記ワークステーション３４へ送信するようにプログラムされており、
前記ワークステーション３４は、Ｘ線源に前記可搬型Ｘ線検出器１４が整列する少なくとも１つの方向に前記可搬型Ｘ線検出器１４を回転するように操作者に指示する命令を発生するようにプログラムされている、システム。
【請求項２】
前記３軸重力センサは、前記可搬型Ｘ線検出器１４の中心点１０２の極く近傍に配置される、請求項１に記載のシステム。
【請求項３】
前記プロセッサ２８は、
ワークステーション３４から無線要求を受け取って、
地球に関する当該可搬型Ｘ線検出器１４の前記物理的配向を表わす配向情報を前記重力センサから前記ワークステーション３４へ無線送信する
ようにさらにプログラムされている、請求項１または２に記載のシステム。
【請求項４】
前記ワークステーション３４は、前記配向情報に基づいて表示画像を再配向する、請求項１乃至３のいずれかに記載のシステム。
【請求項５】
前記プロセッサ２８は、前記重力センサからの前記受け取った入力に基づいてＸ線源１２の動作を阻止するようにさらにプログラムされている、請求項１乃至４のいずれかに記載のシステム。
【請求項６】
前記プロセッサ２８は、Ｘ線源１２が当該可搬型Ｘ線検出器１４に対して垂直になるように、前記重力センサからの前記受け取った入力に基づいて前記Ｘ線源１２の角度を調節するようにさらにプログラムされている、請求項１乃至５のいずれかに記載のシステム。
【請求項７】
Ｘ線源１２と、
ワークステーション３４と、
該Ｘ線源１２により発生されるＸ線を受光するように構成された可搬型Ｘ線検出器１４と、
を備え、
前記可搬型検出器１４は、
当該可搬型検出器１４の内部に設置されている３軸重力センサと、該３軸重力センサに結合されているプロセッサ２８とを含む可搬型Ｘ線検出器１４とを備え、
前記プロセッサ２８は、
前記３軸重力センサを使用して決定された前記可搬型Ｘ線検出器１４の物理的配向に対応する配向情報をワークステーション３４へ送信するようにプログラムされており、
前記ワークステーション３４は、Ｘ線源に前記可搬型Ｘ線検出器１４が整列する少なくとも１つの方向に前記可搬型Ｘ線検出器１４を回転するように操作者に指示する命令を発生するようにプログラムされている、
医用イメージング・システム１０。
【請求項８】
前記３軸重力センサは、前記可搬型Ｘ線検出器１４の中心点１０２の極く近傍に配置される、請求項７に記載の医用イメージング・システム１０。
【請求項９】
前記プロセッサ２８は、地球に関する前記可搬型Ｘ線検出器１４の前記物理的配向を表わす前記配向情報を前記重力センサから前記ワークステーション３４へ無線送信するようにさらにプログラムされている、請求項７または８に記載の医用イメージング・システム１０。
【手続補正書】
【提出日】平成26年4月1日(2014.4.1)
【手続補正１】
【補正対象書類名】明細書
【補正対象項目名】００１９
【補正方法】変更
【補正の内容】
【００１９】
ユーザインタフェース７６は、ＬＴＭａｐ作成部７４及びＴＲＭａｐ作成部７５と、マウス／キーボード７２及びモニタ７３を介したユーザーとの間をインターフェースする例えばＧＵＩである。マウス／キーボード７２及びモニタ７３の代わりにタッチパネル式の入出力装置を用いてもよい。
【手続補正２】
【補正対象書類名】図面
【補正対象項目名】図７
【補正方法】変更
【補正の内容】
【図７】
2012226652.tif 000001
【手続補正３】
【補正対象書類名】図面
【補正対象項目名】図３５
【補正方法】変更
【補正の内容】
【図３５】
2012226652.tif 000002
【手続補正書】
【提出日】平成26年3月28日(2014.3.28)
【手続補正１】
【補正対象書類名】特許請求の範囲
【補正対象項目名】全文
【補正方法】変更
【補正の内容】
【特許請求の範囲】
【請求項１】
複数の発言の内容を複数の第１のテキストデータに変換する変換手段と、
前記複数の発言のそれぞれの開始時間及び前記複数の発言のそれぞれの発言者のうちの少なくとも何れか一つを特定する第１の特定手段と、
第２のテキストデータの入力を受け付ける受付手段と、
前記第２のテキストデータの入力時間及び前記第２のテキストデータに対応する発言者のうちの少なくとも何れか一つを特定する第２の特定手段と、
前記複数の第１のテキストデータのそれぞれと前記第２のテキストデータとをマッチングするマッチング手段と、
前記第１の特定手段による特定処理の結果、前記第２の特定手段による特定処理の結果、及び、前記マッチング手段によるマッチング処理の結果に基づいて、前記複数の第１のテキストデータから前記第２のテキストデータに対応する第１のテキストデータを特定する第３の特定手段とを有することを特徴とする情報処理装置。
【請求項２】
前記第３の特定手段は、前記複数の第１のテキストデータのうち、前記第２のテキストデータの入力時間から所定の時間内における開始時間の発言に対応するデータを、前記第２のテキストデータに対応する前記第１のテキストデータとして特定することを特徴とする請求項１に記載の情報処理装置。
【請求項３】
前記第３の特定手段は、前記複数の第１のテキストデータのうち、前記第２のテキストデータに対応する発言者の発言に対応するデータを、前記第２のテキストデータに対応する前記第１のテキストデータとして特定することを特徴とする請求項１又は２に記載の情報処理装置。
【請求項４】
前記第３の特定手段は、前記複数の第１のテキストデータのうち、前記マッチング手段のマッチング処理により前記第２のテキストデータと一致した箇所の数が第１の閾値以上であるデータを、前記第２のテキストデータに対応する前記第１のテキストデータとして特定することを特徴とする請求項１乃至３の何れか１項に記載の情報処理装置。
【請求項５】
前記第３の特定手段は、前記第２のテキストデータに対応する前記第１のテキストデータに隣接する第１のテキストデータのうち、前記マッチング手段のマッチング処理により前記第２のテキストデータと一致した箇所の数が第２の閾値以上であるデータを、前記第２のテキストデータに対応する前記第１のテキストデータとして含めることを特徴とする請求項１乃至４の何れか１項に記載の情報処理装置。
【請求項６】
前記第３の特定手段は、前記第２のテキストデータに対応する前記第１のテキストデータを複数特定した場合、当該複数の第１のテキストデータの間に位置し、且つ、当該複数の第１のテキストデータに隣接する第１のテキストデータについては前記第２の閾値を下げることを特徴とする請求項５に記載の情報処理装置。
【請求項７】
前記第３の特定手段は、前記第２のテキストデータに対応する発言者が複数であり、且つ、前記第２のテキストデータに対応する前記第１のテキストデータに隣接する第１のテキストデータに対応する発言者が、前記第２のテキストデータに対応する発言者である場合、当該隣接する第１のテキストデータを前記第２のテキストデータに対応する前記第１のテキストデータとして含めることを特徴とする請求項５に記載の情報処理装置。
【請求項８】
情報処理装置によって実行される情報処理方法であって、
複数の発言の内容を複数の第１のテキストデータに変換する変換ステップと、
前記複数の発言のそれぞれの開始時間及び前記複数の発言のそれぞれの発言者のうちの少なくとも何れか一つを特定する第１の特定ステップと、
第２のテキストデータの入力を受け付ける受付ステップと、
前記第２のテキストデータの入力時間及び前記第２のテキストデータに対応する発言者のうちの少なくとも何れか一つを特定する第２の特定ステップと、
前記複数の第１のテキストデータのそれぞれと前記第２のテキストデータとをマッチングするマッチングステップと、
前記第１の特定ステップによる特定処理の結果、前記第２の特定ステップによる特定処理の結果、及び、前記マッチングステップによるマッチング処理の結果に基づいて、前記複数の第１のテキストデータから前記第２のテキストデータに対応する第１のテキストデータを特定する第３の特定ステップとを含むことを特徴とする情報処理方法。
【請求項９】
複数の発言の内容を複数の第１のテキストデータに変換する変換ステップと、
前記複数の発言のそれぞれの開始時間及び前記複数の発言のそれぞれの発言者のうちの少なくとも何れか一つを特定する第１の特定ステップと、
第２のテキストデータの入力を受け付ける受付ステップと、
前記第２のテキストデータの入力時間及び前記第２のテキストデータに対応する発言者のうちの少なくとも何れか一つを特定する第２の特定ステップと、
前記複数の第１のテキストデータのそれぞれと前記第２のテキストデータとをマッチングするマッチングステップと、
前記第１の特定ステップによる特定処理の結果、前記第２の特定ステップによる特定処理の結果、及び、前記マッチングステップによるマッチング処理の結果に基づいて、前記複数の第１のテキストデータから前記第２のテキストデータに対応する第１のテキストデータを特定する第３の特定ステップとをコンピュータに実行させるためのプログラム。
【手続補正２】
【補正対象書類名】明細書
【補正対象項目名】０００６
【補正方法】変更
【補正の内容】
【０００６】
本発明の情報処理装置は、複数の発言の内容を複数の第１のテキストデータに変換する変換手段と、前記複数の発言のそれぞれの開始時間及び前記複数の発言のそれぞれの発言者のうちの少なくとも何れか一つを特定する第１の特定手段と、第２のテキストデータの入力を受け付ける受付手段と、前記第２のテキストデータの入力時間及び前記第２のテキストデータに対応する発言者のうちの少なくとも何れか一つを特定する第２の特定手段と、前記複数の第１のテキストデータのそれぞれと前記第２のテキストデータとをマッチングするマッチング手段と、前記第１の特定手段による特定処理の結果、前記第２の特定手段による特定処理の結果、及び、前記マッチング手段によるマッチング処理の結果に基づいて、前記複数の第１のテキストデータから前記第２のテキストデータに対応する第１のテキストデータを特定する第３の特定手段とを有することを特徴とする。
【手続補正書】
【提出日】平成26年1月8日(2014.1.8)
【手続補正１】
【補正対象書類名】特許請求の範囲
【補正対象項目名】全文
【補正方法】変更
【補正の内容】
【特許請求の範囲】
【請求項１】
クライアント計算機と、
前記クライアント計算機から要求された要求処理を実行するサーバ計算機と、
前記クライアント計算機からの問合せを受けて、前記要求処理を行う前記サーバ計算機を選択し、前記サーバ計算機における実際のアドレスとは異なる代替アドレスを前記クライアント計算機に回答する代表計算機と、
前記クライアント計算機と前記サーバ計算機及び前記代表計算機とを接続するファイアウォールと、を備え、
前記代表計算機は、
前記クライアント計算機に回答する前記代替アドレスを保持する代替アドレス保持手段と、
前記代替アドレスをファイアウォールに設定するファイアウォール設定手段と、を有することを特徴とする情報処理装置。
【請求項２】
前記代表計算機は、前記要求処理を行う前記サーバ計算機の前記代替アドレスを決定する代替アドレス決定手段を有し、
前記代替アドレス決定手段は、前記代替アドレス保持手段から取得した前記代替アドレスの使用状況に基づいて、前記代替アドレスを決定することを特徴とする請求項１記載の情報処理装置。
【請求項３】
前記代替アドレス保持手段は、前記代替アドレスが設定された前記サーバ計算機の実際のアドレスと前記代替アドレスとが関連付けされた代替アドレステーブルを有することを特徴とする請求項２記載の情報処理装置。
【請求項４】
前記代替アドレス決定手段は、前記代替アドレスの使用状況を前記代替アドレステーブルに記載された代替アドレス情報により取得し、前記代替アドレステーブルに記載された前記代替アドレスと異なる代替アドレスを決定することを特徴とする請求項３記載の情報処理装置。
【請求項５】
前記ファイアウォールは、前記代替アドレスが設定された前記サーバ計算機の実際のアドレスと前記代替アドレスとが関連付けされたアドレス変換テーブルを有することを特徴
とする請求項１乃至４のいずれか１項に記載の情報処理装置。
【請求項６】
前記ファイアウォール設定手段は、前記クライアント計算機から前記サーバ計算機への通信を許可するための通信許可設定を前記ファイアウォールに対して行うことを特徴とする請求項１乃至５のいずれか１項に記載の情報処理装置。
【手続補正２】
【補正対象書類名】明細書
【補正対象項目名】００１７
【補正方法】変更
【補正の内容】
【００１７】
図２に示すように、代表計算機１１は、代替アドレス決定手段４１、代替アドレス保持手段５１、サーバ計算機選択手段６１、ファイアウォール設定手段７１を備える。図３に示すように、代替アドレス保持手段５１は、代替アドレステーブル９１を有する。代表計算機１１は、クライアント計算機１からの問い合わせ、すなわち処理を要求すべきサーバ計算機のアドレスの問い合わせに対して、要求された要求処理を実行するサーバ計算機を選択し、そのサーバ計算機の代替アドレスを回答する。
【手続補正３】
【補正対象書類名】明細書
【補正対象項目名】００２４
【補正方法】変更
【補正の内容】
【００２４】
ステップＳ１０４の後、ファイアウォール設定手段７１は、代替アドレス保持手段５１の代替アドレステーブル９１に記録された代替アドレスＡＤｓを、ファイアウォール３１のアドレス変換テーブル８１に登録する（ステップＳ１０５）。代替アドレス保持手段５１の代替アドレステーブル９１に記録されている実ＩＰアドレスＢ１は、ファイアウォール３１のアドレス変換テーブル８１の変換後アドレスＤ１として登録される。また、代替アドレス保持手段５１の代替アドレステーブル９１に記録されている代替アドレスＡ１は、ファイアウォール３１のアドレス変換テーブル８１の宛先アドレスＣ１として登録される。図３及び図４は、２つの代替アドレスＡＤｓが設定された例である。例えば、一方の代替アドレスＡ１はサーバ計算機２１に対応させたものであり、他方の代替アドレスＡ２はサーバ計算機２２に対応させたものである。
【手続補正書】
【提出日】平成26年4月21日(2014.4.21)
【手続補正１】
【補正対象書類名】明細書
【補正対象項目名】０００５
【補正方法】変更
【補正の内容】
【０００５】
このようなＷｅｂサーバは、不特定のクライアントから接続される場合には、接続元のクライアントに対して、セッションごとにユーザ認証を要求することが一般的である。Ｗｅｂサーバが認証処理を行う場合、認証用の認証画面をＷｅｂサーバ側で容易にカスタマイズ可能な認証方式であるフォーム認証が用いられることが多い。この場合、Ｗｅｂサーバ上のＷｅｂアプリケーションが、認証用のフォームをクライアントに提供する。Ｗｅｂサーバは、フォーム認証によるクライアントの認証が完了すると、当該クライアントとの間で確立するセッションに用いるセッションＩＤを発行し、それをＨＴＴＰレスポンスとして当該クライアントに送信する。当該クライアントは、受信したセッションＩＤを、その後にサーバへ送信するＨＴＴＰリクエストに設定する。このような手順により、クライアントとサーバは、その後の通信を認証済みのセッションとして実行可能である。
【手続補正２】
【補正対象書類名】明細書
【補正対象項目名】００２８
【補正方法】変更
【補正の内容】
【００２８】
ジョブ制御部４３３は、解析部４３２によって解析された制御命令を実行するためのジョブを生成する。ジョブ制御部４３３は、生成したジョブを実行することによって、プリンタ２２０による印刷処理、スキャナ２２１による読取処理、及びネットワークＩ／Ｆ２１８を介した送信処理等を実行する。ジョブ制御部４３３は、生成したジョブの実行を完了すると、当該ジョブの実行結果を示す完了情報の通知（完了通知）を、ＳＯＡＰリクエストに従ってＷｅｂアプリケーション４１１へ送信するように、通信部４３１に指示する。なお、ジョブ制御部４３３は、ジョブの生成から完了通知までの間、ＳＯＡＰリクエストの内容を、実行中のジョブと紐付けて保持している。
【手続補正３】
【補正対象書類名】明細書
【補正対象項目名】００５０
【補正方法】変更
【補正の内容】
【００５０】
Ｓ７０９で、ＭＦＰ１０１のサービスプロバイダ４３０は、Ｓ７０８で受け付けたＳＯＡＰリクエスト（デバイス制御要求）に対して応答するためのＳＯＡＰレスポンスを、サーバ１０２のＷｅｂアプリケーション４１１に送信する。これに応じて、Ｓ７１０で、Ｗｅｂアプリケーション４１１は、Ｓ７０７のリクエストへのレスポンスとして操作画面６３０のＨＴＭＬデータを送信する。その後、サービスプロバイダ４３０が、Ｓ７０８で受け付けたＳＯＡＰリクエストに従って生成したジョブの実行を完了すると、処理がＳ７１１へ進む。
【手続補正４】
【補正対象書類名】明細書
【補正対象項目名】００７４
【補正方法】変更
【補正の内容】
【００７４】
セッション情報管理部４４０は、サーバ１０２とＷｅｂブラウザ４２０との間の通信で用いられるセッションＩＤ等のセッション情報を管理するとともに、サーバ１０２とサービスプロバイダ４３０との間の通信で用いられるセッション情報も管理する。Ｗｅｂブラウザ４２０及びサービスプロバイダ４３０は、それぞれ、共通のセッション情報管理部４４０に対して、セッション情報の保存、取得、及び削除を指示可能である。
【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
設定情報に従い複数のアプリケーションを制御する画像形成装置であって、
接続された機器から入力される設定情報をテンポラリ領域に保存する保存手段と、
前記テンポラリ領域に保存された設定情報から機器識別情報を取得する取得手段と、
前記取得手段により取得された機器識別情報と自装置の機器識別情報とを比較し、前記テンポラリ領域に保存された設定情報に含まれる各設定を反映する際に用いるインポートレベルを決定する決定手段と、
前記保存された設定情報において、当該複数のアプリケーションのための各モジュールを用いて、前記インポートレベルに応じて反映すべき設定を抽出して、各アプリケーションでの制御に利用するためのストレージに格納する格納手段と、を有し、
前記インポートレベルを決定するために利用される機器識別情報としては、機種管理番号及び機体管理番号が含まれることを特徴とする画像形成装置。
【請求項２】
ユーザの入力に基づき、エクスポートレベルを決定する決定手段と、
前記複数のアプリケーションのための各モジュールを用いて、各アプリケーションでの制御に利用するためのストレージに含まれる設定情報から、前記決定されたエクスポートレベルに従い必要な設定を抽出して、エクスポートすべき設定情報を管理するデータベースに書き込む書き込み手段と、をさらに有することを特徴とする請求項１に記載の画像形成装置。
【請求項３】
前記接続された機器には、ＵＳＢストレージデバイスが含まれることを特徴とする請求項１または２に記載の画像形成装置。
【請求項４】
前記保存手段により前記テンポラリ領域に保存される設定情報は、ＸＭＬで記述されることを特徴とする請求項１乃至３のいずれか１項に記載の画像形成装置。
【請求項５】
前記機器識別情報には、さらに、ファームバージョン、及び仕向け情報の少なくともいずれかの情報が含まれることを特徴とする請求項１乃至４のいずれか１項に記載の画像形成装置。
【請求項６】
前記機器識別情報には、さらに、ユーザ編集情報、アクセサリ接続情報、及びライセンス情報の少なくともいずれかの情報が含まれることを特徴とする請求項５に記載の画像形成装置。
【請求項７】
設定情報に従い複数のアプリケーションを制御する画像形成装置における管理方法であって、
接続された機器から入力される設定情報をテンポラリ領域に保存する保存工程と、
前記テンポラリ領域に保存された設定情報から機器識別情報を取得する取得工程と、
前記取得工程で取得された機器識別情報と自装置の機器識別情報とを比較し、前記テンポラリ領域に保存された設定情報に含まれる各設定を反映する際に用いるインポートレベルを決定する決定工程と、
前記保存された設定情報において、当該複数のアプリケーションのための各モジュールを用いて、前記インポートレベルに応じて反映すべき設定を抽出して、各アプリケーションでの制御に利用するためのストレージに格納する格納工程と、を有し、
前記インポートレベルを決定するために利用される機器識別情報としては、機種管理番号及び機体管理番号が含まれることを特徴とする管理方法。
【請求項８】
前記接続された機器には、ＵＳＢストレージデバイスが含まれることを特徴とする請求項７に記載の管理方法。
【請求項９】
前記保存工程で前記テンポラリ領域に保存される設定情報は、ＸＭＬで記述されることを特徴とする請求項７または８に記載の管理方法。
【請求項１０】
前記機器識別情報には、さらに、ファームバージョン、及び仕向け情報の少なくともいずれかの情報が含まれることを特徴とする請求項７乃至９のいずれか１項に記載の管理方法。
【請求項１１】
請求項１乃至６のいずれかに１項に記載の手段としてコンピュータを機能させるためのプログラム。
【手続補正２】
【補正対象書類名】明細書
【補正対象項目名】０００５
【補正方法】変更
【補正の内容】
【０００５】
上記の課題を解決するために、本発明の画像形成装置は、設定情報に従い複数のアプリケーションを制御する画像形成装置であって、接続された機器から入力される設定情報をテンポラリ領域に保存する保存手段と、前記テンポラリ領域に保存された設定情報から機器識別情報を取得する取得手段と、前記取得手段により取得された機器識別情報と自装置の機器識別情報とを比較し、前記テンポラリ領域に保存された設定情報に含まれる各設定を反映する際に用いるインポートレベルを決定する決定手段と、前記保存された設定情報において、当該複数のアプリケーションのための各モジュールを用いて、前記インポートレベルに応じて反映すべき設定を抽出して、各アプリケーションでの制御に利用するためのストレージに格納する格納手段と、を有し、前記インポートレベルを決定するために利用される機器識別情報としては、機種管理番号及び機体管理番号が含まれることを特徴とする。
【手続補正書】
【提出日】平成26年4月14日(2014.4.14)
【手続補正１】
【補正対象書類名】特許請求の範囲
【補正対象項目名】全文
【補正方法】変更
【補正の内容】
【特許請求の範囲】
【請求項１】
第１のユーザが第１のサービス提供施設を利用したことを示す第１の利用情報と、ユーザ端末において入力され、当該第１の利用情報に対応付けられた、前記第１のサービス提供施設のサービスに対する第１の批評情報とを受信可能な通信部と、
前記受信された第１の利用情報及び第１の批評情報を対応付けて記憶可能な記憶部と、
前記記憶された第１の批評情報の信頼性が高いことを示すための所定の情報処理を実行可能な制御部と
を具備する情報処理装置。
【請求項２】
請求項１に記載の情報処理装置であって、
前記通信部は、前記第１の利用情報に対応付けられていない、前記サービスに対する第２の批評情報を受信可能であり、
前記記憶部は、前記受信された第２の批評情報を記憶可能であり、
前記制御部は、前記第１の批評情報を前記第２の批評情報と区別可能に加工可能である
情報処理装置。
【請求項３】
請求項１または２に記載の情報処理装置であって、
前記第１の利用情報は、前記第１のサービス提供施設で決済した前記第１のユーザが前記決済に利用した電子マネーを識別する第１の電子マネー識別情報を含み、当該第１のサービス提供施設から送信される決済情報であり、
前記通信部は、
前記決済情報を受信する第１の通信処理と、
前記第１の批評情報と、当該第１の批評情報を入力したユーザが利用する電子マネーを識別する第２の電子マネー識別情報とを受信する第２の通信処理とを実行し、
前記制御部は、前記第１の通信処理により受信された決済情報に含まれる前記第１の電子マネー識別情報と、前記第２の通信処理により受信された前記第２の電子マネー識別情報とが一致する場合に、前記所定の情報処理を実行する
情報処理装置。
【請求項４】
請求項１または２に記載の情報処理装置であって、
前記ユーザ端末は、前記第１のサービス提供施設に設置されたＩＣタグから、当該ＩＣタグを識別するタグＩＤを読み取り、当該情報処理装置へ前記第１の批評情報を前記タグＩＤとともに送信し、
前記通信部は、前記タグＩＤを前記第１の利用情報として受信する
情報処理装置。
【請求項５】
請求項１乃至４のいずれかに記載の情報処理装置であって、
前記記憶部は、前記第１のサービス提供施設を含む複数のサービス提供施設の位置情報を記憶し、
前記通信部は、前記第１のサービス提供施設とは異なる第２のサービス提供施設のサービスに対する第２の批評情報を受信し、
前記制御部は、前記位置情報を基に、前記第１のサービス提供施設と前記第２のサービス提供施設との距離が所定範囲内であると判断した場合、前記第２の批評情報の信頼性が高いことを示すための所定の情報処理を実行する
情報処理装置。
【請求項６】
請求項１乃至５のいずれかに記載の情報処理装置であって、
前記通信部は、前記第１のサービス提供施設から、前記第１の批評情報に対する返信情報と、当該第１のサービス提供施設において前記第１のユーザに将来提供され得るサービスの決済時に割引を可能とさせる割引情報とを受信し、
前記記憶部は、前記受信された返信情報及び割引情報を記憶し、
前記制御部は、前記返信情報と、前記割引情報の存在を示す情報とを前記ユーザ端末へ送信し、前記割引情報を前記ユーザ端末または前記第１のサービス提供施設へ送信するように前記通信部を制御する
情報処理装置。
【請求項７】
請求項３に記載の情報処理装置であって、
前記決済情報には、前記決済した第１のユーザとともに前記第１のサービス提供施設でサービスを提供された他のユーザの電子マネーを識別する第３の電子マネー識別情報が含まれ、
前記制御部は、前記受信された第３の電子マネー識別情報と前記第２の電子マネー識別情報が一致する場合にも、前記所定の情報処理を実行する
情報処理装置。
【請求項８】
請求項１乃至７のいずれかに記載の情報処理装置であって、
前記利用情報には、前記第１のユーザによる前記第１のサービス提供施設の利用日時を示す情報が含まれており、
前記制御部は、前記利用日時から前記第１の批評情報の受信日時までの期間が所定期間以内である場合に、前記所定の情報処理を実行する
情報処理装置。
【請求項９】
ユーザがサービス提供施設を利用したことを示す利用情報と、ユーザ端末において入力され、当該利用情報に対応付けられた、前記サービス提供施設のサービスに対する批評情報とを受信し、
前記受信された利用情報及び批評情報を対応付けて記憶し、
前記記憶された批評情報の信頼性が高いことを示すための所定の情報処理を実行する
情報処理方法。
【請求項１０】
情報処理装置に、
ユーザがサービス提供施設を利用したことを示す利用情報と、ユーザ端末において入力され、当該利用情報に対応付けられた、前記サービス提供施設のサービスに対する批評情報とを受信するステップと、
前記受信された利用情報及び批評情報を対応付けて記憶するステップと、
前記記憶された批評情報の信頼性が高いことを示すための所定の情報処理を実行するステップと
を実行させるプログラム。
【手続補正書】
【提出日】平成26年4月22日(2014.4.22)
【手続補正１】
【補正対象書類名】特許請求の範囲
【補正対象項目名】全文
【補正方法】変更
【補正の内容】
【特許請求の範囲】
【請求項１】
外部に露出した表示面を有する筐体と、
前記筐体における前記表示面とは反対側の底面側に設けられ、少なくとも一部が前記底面よりも外方へ突出したバッテリと、
前記筐体の端部に前記底面から外方へ突出するように形成され、前記バッテリを覆う凸部と、
を備える、電子機器。
【請求項２】
前記凸部は、前記筐体の短手方向の一端側に、前記筐体の長手方向に沿って設けられている、請求項１に記載の電子機器。
【請求項３】
前記凸部は、
頂部と、
前記底面から前記頂部へ向かって斜面が形成された傾斜部と、
を有する、請求項２に記載の電子機器。
【請求項４】
前記傾斜部は、
前記底面の前記短手方向の一端側から前記頂部へ向かって形成された第１の斜面と、
前記底面の前記短手方向の他端側から前記頂部へ向かって形成された第２の斜面と、
を有し、
前記第１の斜面の前記短手方向における幅は、前記第２の斜面の前記短手方向における幅よりも小さい、請求項３に記載の電子機器。
【請求項５】
前記バッテリの形状は、円筒形状であり、
前記バッテリの長手方向が、前記筐体の長手方向に沿っている、請求項１〜４のいずれか１項に記載の電子機器。
【請求項６】
前記凸部内において前記バッテリの周囲に設けられ、前記底面側から音を発するスピーカ部を更に備える、請求項１〜５のいずれか１項に記載の電子機器。
【請求項７】
前記凸部内において前記バッテリの周囲に設けられ、通信ケーブルと接続する接続口を更に供える、請求項１〜６のいずれか１項に記載の電子機器。
【請求項８】
前記表示面に重畳して設けられた入力操作用のタッチパネルを更に備える、請求項１〜７のいずれか１項に記載の電子機器。
【請求項９】
前記凸部に係合し、前記凸部及び前記表示面を覆う保護カバーを更に備える、請求項１〜８のいずれか１項に記載の電子機器。
【請求項１０】
前記筐体は、
入力部を有し、前記バッテリと前記凸部が設けられた第１の筐体と、
前記表示面を有し、前記第１の筐体に対して移動可能な第２の筐体と、
で構成される、請求項１〜９のいずれか１項に記載の電子機器。
【請求項１１】
前記入力部は、複数のキーを有するキーボードであり、
前記第２の筐体は、
前記第１の筐体と重なって前記キーボードを覆う初期状態と、
前記初期状態から前記第１の筐体に対してスライドして、前記キーボードが露出するスライド状態と、
前記スライド状態から前記第１の筐体に対してチルトしたチルト状態と、
の間を遷移する、請求項１０に記載の電子機器。
【手続補正２】
【補正対象書類名】明細書
【補正対象項目名】００４２
【補正方法】変更
【補正の内容】
【００４２】
斜面１４７は、底面１３２の短手方向の一端側から頂面１４３へ向かって形成された斜面である。斜面１４７は、本体側筐体１２０の長手方向に沿って形成された矩形状の面である。斜面１４７には、不図示の通信ケーブルと接続する接続口１５５（図１３参照）が設けられている。接続口１５５は、凸部１４０におけるバッテリ１６０の周囲のデッドスペースに設けられている。
【手続補正３】
【補正対象書類名】明細書
【補正対象項目名】００４５
【補正方法】変更
【補正の内容】
【００４５】
斜面１４９は、底面１３２の長手方向の他端側から頂面１４３へ向かって形成された斜面である。斜面１４９は、本体側筐体１２０の短手方向に沿って形成された三角形状の面である。斜面１４９には、スピーカユニット３００に対向する位置に開口部１５７が形成されている。開口部１５７は、スピーカユニット３００が背面から発した音を外部へ伝達する。
【手続補正４】
【補正対象書類名】明細書
【補正対象項目名】００６３
【補正方法】変更
【補正の内容】
【００６３】
前述したように凸部１４０はバッテリ１６０をカバーするものであるが、本実施形態では凸部１４０とバッテリ１６０の間のスペース（デッドスペース）に、スピーカユニット筐体２２０を配置させている。つまり、本実施形態によれば、スピーカユニット２００、３００を配置させるための専用スペースを設ける必要が無く、凸部１４０のデッドスペースを有効活用できる。
【手続補正書】
【提出日】平成26年2月10日(2014.2.10)
【手続補正１】
【補正対象書類名】明細書
【補正対象項目名】０００７
【補正方法】変更
【補正の内容】
【０００７】
【特許文献１】特開２００５−３５２４２８号公報
【特許文献２】特開２００８−１９７１７６号公報
【特許文献３】特開２０１０−１２２６２５号公報
【手続補正２】
【補正対象書類名】明細書
【補正対象項目名】０１８７
【補正方法】変更
【補正の内容】
【０１８７】
表  ３（各種データ）
ズーム比     4.61717
広角      中間      望遠
焦点距離       2.8500    5.9056   13.1588
Ｆナンバー     3.03406   4.49182   7.17697
画角        90.0000   36.0000   16.3000
像高         3.9352    3.9443    3.8988
レンズ全長     28.0658   26.2939   28.8187
ＢＦ        0.55607   0.53492   0.46556
d7           9.9567    4.4226    0.5000 
d14          3.0353    2.6460    4.6500 
d16          1.3860    5.5587   10.0714 
ズームレンズ群データ
群 始面 焦点距離
1       1      -5.59677
2       8       6.06499
3      15     -12.08615
4      17      15.04245
【手続補正書】
【提出日】平成26年4月2日(2014.4.2)
【手続補正１】
【補正対象書類名】明細書
【補正対象項目名】００８９
【補正方法】変更
【補正の内容】
【００８９】
コピーＤＢ１２に更新ログが適用された後、アクセス先決定部２１によりアクセス先がコピーＤＢ１２へ切り替えられる期間はフェーズ３に分類される。コピーＤＢ１２にアクセス先が切り替えられた後、再編成部２４によりオリジナルＤＢ１１が再編成されている期間はフェーズ４に分類される。オリジナルＤＢ１１が再編成された後、同期部２５によりオリジナルＤＢ１１に対してフェーズ４開始以降に生成された更新ログが適用されている期間はフェーズ５に分類される。オリジナルＤＢ１１に更新ログが適用された後、アクセス先決定部２１によりアクセス先がオリジナルＤＢ１１へ切り替えられる期間はフェーズ６に分類される。
【手続補正２】
【補正対象書類名】明細書
【補正対象項目名】００９４
【補正方法】変更
【補正の内容】
【００９４】
次に、ステップＳ２０２において、再編成部２４は、オリジナルＤＢ１１を再編成する。この再編成の間、コピーＤＢ１２に対する更新アクセスは禁止されず、更新ログが更新ログ記憶部１５に追記されていく。再編成されると、処理フェーズは４から５に移行する。
【手続補正３】
【補正対象書類名】明細書
【補正対象項目名】０１１０
【補正方法】変更
【補正の内容】
【０１１０】
状態フラグが２でも３でもない場合（ステップＳ２８３のＮＯ）、アクセス先決定部２１は、アクセス先をオリジナルＤＢ１１とし（ステップＳ２８５）、状態フラグが４であるか否かを判定し（ステップＳ２８６）、状態フラグが４である場合は、進捗情報記憶部１４に記憶された状態フラグを４から０に更新する（ステップＳ２８７）。
【手続補正４】
【補正対象書類名】特許請求の範囲
【補正対象項目名】請求項５
【補正方法】変更
【補正の内容】
【請求項５】
第１のボリュームに格納された元データベースのデータをコピーして第２のボリュームにコピーデータベースを作成するステップと、
アプリケーションプログラムにより前記元データベースのデータのうちコピー中またはコピー済みのデータが更新されるごとに、更新後の値の情報および更新されたデータを識別するための情報を含む更新ログを更新ログ記憶部に記憶させるステップと、
前記コピーデータベースの作成が終わり、かつ前記更新ログ記憶部に記憶された前記更新ログの数が閾値より多いと、前記元データベースの排他ロックを取得せず前記アプリケーションによる前記元データベースのデータの更新が許可され更新に応じた前記更新ログの生成が継続されたまま、前記更新ログ記憶部に記憶された前記更新ログを１つずつ前記コピーデータベースに適用するとともに適用した前記更新ログを前記更新ログ記憶部から削除する処理を前記更新ログ記憶部に記憶された前記更新ログの数が閾値以下となるまで繰り返すステップと、
前記コピーデータベースの作成が終わり、かつ前記更新ログ記憶部に記憶された前記更新ログの数が閾値以下であると、前記元データベースの排他ロックを取得して前記元データベースのデータに対する更新および参照を禁止し、前記更新ログ記憶部に記憶された前記更新ログを１つずつ前記コピーデータベースに適用するとともに適用後の前記更新ログを前記更新ログ記憶部から削除する処理を前記更新ログ記憶部に記憶された前記更新ログの数がゼロになるまで繰り返すステップと、
前記更新ログ記憶部に記憶された前記更新ログの数がゼロになると、前記元データベースの前記排他ロックを開放するステップと、
前記元データベースおよび前記コピーデータベースのいずれかを再編成するステップと、
を有するデータベース再編成方法。